(57)【要約】      （修正有）【課題】所定のリング式綴具の使用態様の拡大、ユーザによる利便性の向上に寄与することのできるリング式綴具ホルダー、綴具付きホルダーおよびファイルを提供する。【解決手段】この発明のリング式綴具ホルダー１は、細長い二本の基部と、それらの各基部の側面のそれぞれに一体に形成されて少なくとも一部で湾曲して該基部の正面側に延び、基部の相対変位に伴って開閉する複数対の半リング部とを有するリング式綴具を保持するものであって、リング式綴具の前記基部の背面側で該背面に沿って延びるホルダー基板２を具え、前記基部の背面に対向する前記ホルダー基板２の表面に、前記基部を直接的に着脱可能な基部取付け箇所３ａ〜３ｄが設けられてなるものである。【選択図】図１
2018144431.tif 000002
【特許請求の範囲】
【請求項１】
細長い二本の基部と、それらの各基部の側面のそれぞれに一体に形成されて少なくとも一部で湾曲して該基部の正面側に延び、基部の相対変位に伴って開閉する複数対の半リング部とを有するリング式綴具を保持するリング式綴具ホルダーであって、リング式綴具の前記基部の背面側で該背面に沿って延びるホルダー基板を具え、前記基部の背面に対向する前記ホルダー基板の表面に、前記基部を直接的に着脱可能な基部取付け箇所が設けられてなるリング式綴具ホルダー。
【請求項２】
前記基部取付け箇所が、リング式綴具の前記基部を該基部の両側面側から挟み込む少なくとも一個の側面挟持部を有してなる請求項１に記載のリング式綴具ホルダー。
【請求項３】
前記側面挟持部が、リング式綴具の前記基部の両側面に整合する内面形状を有してなる請求項２に記載のリング式綴具ホルダー。
【請求項４】
前記基部取付け箇所が、ホルダー基板の長手方向で、リング式綴具の前記基部の一端部に対応する位置に設けられて、前記一端部の周囲を取り囲む端部囲繞部と、ホルダー基板の長手方向で、リング式綴具の前記基部の他端部に対応する位置に設けられて、前記他端部に当該基部の側面側から引っ掛かって係合する端部係合部とを有してなる請求項１〜３のいずれか一項に記載のリング式綴具ホルダー。
【請求項５】
前記端部係合部が、ホルダー基板の側縁に立設した側壁、及び、前記側壁からリング式綴具の前記基部側に向けて突き出る係合爪で構成されてなる請求項４に記載のリング式綴具ホルダー。
【請求項６】
ホルダー基板上で前記端部囲繞部を設けた箇所に、端部囲繞部内でのリング式綴具の基部の前記一端部の円滑な通過を可能にする擦抜け凹部が設けられてなる請求項４又は５に記載のリング式綴具ホルダー。
【請求項７】
前記基部取付け箇所が、リング式綴具の前記基部を該基部のいずれか一方の側面側から支持する少なくとも一個の片側壁部を有してなる請求項１〜６のいずれか一項に記載のリング式綴具ホルダー。
【請求項８】
前記ホルダー基板の前記表面が、該ホルダー基板の一方の側縁よりも他方の側縁で、リング式綴具側に隆起してなる請求項１〜７のいずれか一項に記載のリング式綴具ホルダー。
【請求項９】
前記ホルダー基板が幅方向に複数個並べて配置されてなる請求項１〜８のいずれか一項に記載のリング式綴具ホルダー。
【請求項１０】
全体が一体に形成されてなる請求項１〜９のいずれか一項に記載のリング式綴具ホルダー。
【請求項１１】
請求項１〜１０のいずれか一項に記載のリング式綴具ホルダーと、前記リング式綴具ホルダーの前記基部取付け箇所に基部が取り付けられたリング式綴具とを具えてなる綴具付きホルダー。
【請求項１２】
リング式綴具が、基部の背面側で該基部と平行に延びる軸部と、基部の背面側に前記軸部を取り囲んで設けられて該軸部を支持する軸受け部とをさらに有し、前記軸部を中心とする基部の回動変位により、半リング部を開閉可能に構成されてなる請求項１１に記載の綴具付きホルダー。
【請求項１３】
リング式綴具の前記軸部が基部と一体に形成されてなる請求項１２に記載の綴具付きホルダー。
【請求項１４】
リング式綴具ホルダーにリング式綴具が、半リング部が開閉可能に保持されてなる請求項１２又は１３に記載の綴具付きホルダー。
【請求項１５】
請求項１〜１０のいずれか一項に記載のリング式綴具ホルダーと、表表紙、裏表紙ならびに、表表紙および裏表紙の相互を連結する背表紙を含む表紙体とを具え、前記リング式綴具ホルダーが表紙体に取り付けられてなるファイル。
【発明の詳細な説明】
【技術分野】
【０００１】
この発明は、細長い二本の基部と、それらの各基部の側面のそれぞれに一体に形成されて少なくとも一部で湾曲して該基部の正面側に延び、基部の相対変位に伴って開閉する複数対の半リング部とを有するリング式綴具を保持するリング式綴具ホルダー、綴具付きホルダーおよび、ファイルに関するものであり、特に、かかるリング式綴具の使用態様の拡大、利便性の向上を実現するための技術を提案するものである。
【背景技術】
【０００２】
この種のリング式綴具として従来は、たとえば、特許文献１〜３に記載されたもの等がある。
特許文献１には、細長い二本の基部と、それらの各基部の幅方向外側を向く側面のそれぞれに形成され、該基部の正面側に延びて相互に共同してリング形状をなす複数対の半リング部とを具えるリング式綴具であって、二本の基部のそれぞれの一端部を相互に連結することにより、当該一端部を中心として、それぞれの他端部が互いに離隔・接近する回動変位に基き、半リング部の開閉動作を可能にしたものが記載されている。
【０００３】
特許文献２、３に記載された綴具はいずれも、互いに平行する向きで隣り合わせに配置した二本の基部と、それらの各基部の幅方向外側を向く側面のそれぞれに形成され、該基部の正面側に延びて相互に共同してリング形状をなす複数対の半リング部とを具え、各基部の回動変位により、複数対の半リング部を、対をなす該半リング部のそれぞれの先端部が互いに近接してリング形状を形成する閉鎖位置と、それぞれの先端部が互いに離隔する開放位置との間で移動可能としたものである。
ここで、特許文献２では主として基部とは別部材としての金属製の軸部を、また特許文献３では基部と一体をなす軸部を、基部の背面側に設けるとともに、その軸部を支持する軸受け部を基板の背面側に一体に設けることにより、上述した基部の回動変位を実現している。
【０００４】
かかるリング式綴具は、二本の基部が比較的細く、そのような基部に、略円環状のリング形状をなす複数対の半リング部を設けたことにより、リング式綴具に綴じ込んだ紙葉等を、当該リング形状に沿って大きく捲ることができるという利点を有する。
その他、このようなタイプのリング式綴具としては、特許文献４に記載されたものもある。
【先行技術文献】
【特許文献】
【０００５】
【特許文献１】特許第４２６１２３８号公報
【特許文献２】特許第５２２６１４６号公報
【特許文献３】特許第５６５７８２２号公報
【特許文献４】国際公開第２０１２／０６６８１８号
【発明の概要】
【発明が解決しようとする課題】
【０００６】
ところで、上述したようなリング式綴具は一般に、表表紙や裏表紙を含む紙葉を綴じ込んで使用されるメモ帳その他の帳面に用いられており、かかるリング式綴具を、表表紙、裏表紙および背表紙を含む表紙体を有するファイルに取り付けて使用することは、基部が細くその取付けが困難であること等の理由より行われていない。
しかるに、そのようなリング式綴具の、ファイルへの着脱が可能になると、綴じ込んだ紙葉等を大きく捲れる利点とも相俟って、ユーザによるリング式綴具の使用態様が拡大し、また利便性が高まると考えられる。
【０００７】
また、上述したようなリング式綴具を、壁やボードその他の所期した箇所に固定することができれば、リング式綴具の使用場所や使途が大きく増大し、それにより、リング式綴具の使用の幅がさらに広がることが予測される。
【０００８】
この発明は、このような課題に対してなされたものであり、その目的とするところは、所定のリング式綴具の使用態様の拡大、ユーザによる利便性の向上に寄与することのできるリング式綴具ホルダー、綴具付きホルダーおよび、ファイルを提供することにある。
【課題を解決するための手段】
【０００９】
この発明のリング式綴具ホルダーは、細長い二本の基部と、それらの各基部の側面のそれぞれに一体に形成されて少なくとも一部で湾曲して該基部の正面側に延び、基部の相対変位に伴って開閉する複数対の半リング部とを有するリング式綴具を保持するものであって、リング式綴具の前記基部の背面側で該背面に沿って延びるホルダー基板を具え、前記基部の背面に対向する前記ホルダー基板の表面に、前記基部を直接的に着脱可能な基部取付け箇所が設けられてなるものである。
ここで、「直接的に着脱可能」とは、ねじやリベットその他の固着具を用いることなしに、リング式綴具の基部を、リング式綴具ホルダーのホルダー基板の基部取付け箇所に取り付けるとともに、該基部取付け箇所から取り外すことができることを意味する。
【００１０】
この発明のリング式綴具ホルダーでは、前記基部取付け箇所が、リング式綴具の前記基部を該基部の両側面側から挟み込む少なくとも一個の側面挟持部を有することが好ましい。
この場合においては、前記側面挟持部が、リング式綴具の前記基部の両側面に整合する内面形状を有することがより一層好ましい。
【００１１】
また、この発明のリング式綴具ホルダーでは、前記基部取付け箇所が、ホルダー基板の長手方向で、リング式綴具の前記基部の一端部に対応する位置に設けられて、前記一端部の周囲を取り囲む端部囲繞部と、ホルダー基板の長手方向で、リング式綴具の前記基部の他端部に対応する位置に設けられて、前記他端部に当該基部の側面側から引っ掛かって係合する端部係合部とを有することが好ましい。
【００１２】
ここでは、前記端部係合部が、ホルダー基板の側縁に立設した側壁、及び、前記側壁からリング式綴具の前記基部側に向けて突き出る係合爪で構成されるものとすることができる。
またここでは、ホルダー基板上で前記端部囲繞部を設けた箇所に、端部囲繞部内でのリング式綴具の基部の前記一端部の円滑な通過を可能にする擦抜け凹部が設けられていることが好ましい。
【００１３】
そしてまた、この発明のリング式綴具ホルダーでは、前記基部取付け箇所が、リング式綴具の前記基部を該基部のいずれか一方の側面側から支持する少なくとも一個の片側壁部を有することが好適である。
【００１４】
ところで、この発明のリング式綴具ホルダーでは、前記ホルダー基板の前記表面が、該ホルダー基板の一方の側縁よりも他方の側縁で、リング式綴具側に隆起していることが好ましい。
【００１５】
なお、この発明のリング式綴具ホルダーは、前記ホルダー基板が幅方向に複数個並べて配置されてなるものとすることができる。
また、この発明のリング式綴具ホルダーは、全体が一体に形成されてなるものであることが好ましい。
【００１６】
この発明の綴具付きホルダーは、上記のいずれかのリング式綴具ホルダーと、前記リング式綴具ホルダーの前記基部取付け箇所に基部が取り付けられたリング式綴具とを具えてなるものである。
【００１７】
ここで、リング式綴具が、基部の背面側で該基部と平行に延びる軸部と、基部の背面側に前記軸部を取り囲んで設けられて該軸部を支持する軸受け部とをさらに有し、前記軸部を中心とする基部の回動変位により、半リング部を開閉可能に構成されてなるものであることが好ましい。
このリング式綴具の前記軸部は基部と一体に形成されていることが好ましい。また、このリング式綴具は、リング式綴具ホルダーに、半リング部が開閉可能に保持されることが好ましい。
【００１８】
この発明のファイルは、上記のいずれかのリング式綴具ホルダーと、表表紙、裏表紙ならびに、表表紙および裏表紙の相互を連結する背表紙を含む表紙体とを具え、前記リング式綴具ホルダーが表紙体に取り付けられてなるものである。
【発明の効果】
【００１９】
この発明によれば、所定のリング式綴具の基部を直接的に着脱可能な基部取付け箇所を設けたホルダー基板を具えるリング式綴具ホルダーにより、当該リング式綴具を、ファイルや壁、ボード等といったユーザが望む箇所に取り付けることが可能になるので、リング式綴具の利便性を大きく向上させるとともに、使用態様を拡大することができる。
【図面の簡単な説明】
【００２０】
【図１】この発明の一の実施形態のリング式綴具ホルダーを示す斜視図である。
【図２】図１のリング式綴具ホルダーの正面図である。
【図３】図１のリング式綴具ホルダーを、それに保持させたリング式綴具とともに示す斜視図である。
【図４】図１のリング式綴具ホルダーを、それに保持させたリング式綴具とともに示す正面図である。
【図５】図１のリング式綴具ホルダーを表紙体に取り付けてなるファイルとしての使用例を示す斜視図である。
【図６】図１のリング式綴具ホルダーのホルダー基板にマグネット部材を取り付けた使用例を示す斜視図である。
【図７】図２のａ−ａ線〜ｅ−ｅ線のそれぞれに沿う横断面図である。
【図８】図４のａ−ａ線〜ｅ−ｅ線のそれぞれに沿う横断面図である。
【図９】図１のリング式綴具ホルダーにリング式綴具を保持させる際の動作を示す部分斜視図である。
【図１０】他の実施形態のリング式綴具ホルダーを示す斜視図である。
【図１１】さらに他の実施形態のリング式綴具ホルダーを示す斜視図である。
【図１２】図１０及び図１１に示すリング式綴具ホルダーを具えるファイルの例を示す斜視図である。
【図１３】図１２に示すファイルを、各リング式綴具ホルダーにリング式綴具を保持させて閉じた状態で示す斜視図である。
【図１４】図３に示すリング式綴具を構成する綴具構成部材の正面図及び側面図である。
【発明を実施するための形態】
【００２１】
以下に図面に示すところに基き、この発明の実施の形態について詳細に説明する。
図１及び図２にそれぞれ斜視図及び正面図で例示するリング式綴具ホルダー１は、図３及び図４に示すように、紙葉等を綴じ込む部分が少なくとも一部で湾曲して延びる円環状その他のリング状をなす所定のリング式綴具３１を保持するためのものである。
【００２２】
ここで、リング式綴具ホルダー１に保持されるリング式綴具３１は、たとえば、それぞれ一方向に延びる棒状もしくは板状等の細長い二本の基部３２と、それらの各基部３２の外側を向く側面Ｓのそれぞれに一体に形成されて、その少なくとも一部で湾曲して基部３２の側面Ｓから正面Ｆ側に延びる半リング部３３とを有するものである。
【００２３】
このリング式綴具３１は、二本の基部３２の回動変位等の相対変位に伴い、半リング部３３を、その先端が互いに離隔する開放位置と該先端が互いに接近ないし接触する閉鎖位置との間で移動させて開閉させることができる。半リング部３３の開放位置では、複数の貫通孔を有するルーズリーフ用紙その他の紙葉等の着脱を行うことができるとともに、半リング部分３３の閉鎖位置では、該紙葉を綴じ込むことができる。
【００２４】
上記のようなリング式綴具３１を保持するため、リング式綴具ホルダー１は、図３及び図４に示すようにリング式綴具３１を保持した状態で、リング式綴具３１の基部３２の背面Ｂ側で該背面Ｂに沿って延びて、正面視でほぼ長方形状をなす平板状のホルダー基板２を具える。なお図示の実施形態では、リング式綴具ホルダー１は、主としてこのホルダー基板２からなり、その全体がプラスチック製の一体物として射出成形により形成されたものである。また、ホルダー基板２には、リング式綴具３１を保持した状態で、基部３２の背面Ｂと対向する表面Ｓｆに、基部３２を、固着具なしで直接的に着脱可能な基部取付け箇所３ａ〜３ｄが設けられている。
【００２５】
これにより、リング式綴具ホルダー１のホルダー基板２の基部取付け箇所３ａ〜３ｄに、リング式綴具３１の基部３２を、ねじ等の固着具を用いることなしに、またリング式綴具３１を分解することなしに、工具不要にしてユーザの手で直接的に取り付けることができる。
【００２６】
そして、リング式綴具ホルダー１は、たとえば、図５に示すように、ホルダー基板２の長手方向の中央や端部側に設けた三箇所の貫通穴４を用いて、表紙体５２にリベット等の公知の手法にて取り付けることで、ファイル５１の一部を構成するものとすることができる。この場合、綴じ込んだ紙葉等を大きく捲ることができるリング式綴具３１を、ファイル５１で用いることができ、また別のファイルに付け替えて用いることもできる。このような用途では、リング式綴具ホルダー１は、リング式綴具３１と表紙体５２との連結部材として機能する。なお、貫通穴４は必ずしも必要ではない。
このファイル５１の表紙体５２は、ファイル外装をなす表表紙５３、裏表紙５４ならびに、表表紙５３および裏表紙５４の相互間に跨ってそれらを連結する背表紙５５で構成されており、リング式綴具ホルダー１は、表紙体５２の背表紙５５の内側に取り付けられている。
【００２７】
あるいは、図６に示すように、リング式綴具ホルダー１のホルダー基板２の裏面Ｓｂ等に、たとえばマグネット部材７１を取り付けることによって、リング式綴具ホルダー１を、冷蔵庫その他の家電機器またはボード等の所定の金属製の壁に固定可能とすることができる。
このように、リング式綴具ホルダー１により、従来は主としてメモ帳等の帳面に限定的に使用されていたリング式綴具３１の使用場所や使途が拡大し、ユーザによる利便性の向上を実現することができる。
【００２８】
ここで、リング式綴具ホルダー１のホルダー基板２に設けた基部取付け箇所３ａ〜３ｄは具体的には、側面挟持部３ａ、端部囲繞部３ｂ、端部係合部３ｃおよび片側壁部３ｄのうちの少なくとも一つを含むものとして構成することができる。
【００２９】
このうち、側面挟持部３ａは、図７（ａ）及び図８（ａ）にホルダー基板２の長手方向に直交する横断面図で示すように、ホルダー基板２の表面Ｓｆの各側縁からリング式綴具３１側に延びる対をなす突出部分５ａ、５ｂからなるものであり、それらの突出部分５ａ、５ｂの間で、リング式綴具３１の基部３２がその基部３２の両側面Ｓ側から挟み込まれる。
【００３０】
側面挟持部３ａの突出部分５ａ、５ｂの内面は、基部３２の曲面状等の側面Ｓに沿って整合する形状とし、さらにこの実施形態のように、突出部分５ａ、５ｂの先端側でそれらが相互に近接する向きに湾曲して幅方向内側に向けて若干延びる形状とすることが、リング式綴具３１の確実かつ強固な保持を実現する上で好ましい。
【００３１】
この実施形態では、ホルダー基板２の長手方向の中央を隔てて両側にそれぞれ三個、合計六個の側面挟持部３ａを設けており、各側面挟持部３ａで、ホルダー基板２の一方の側縁側に位置する突出部分５ａの長手方向の長さよりも、他方の側縁側に位置する突出部分５ｂの長手方向の長さを二倍程度長くしている。
なお、ホルダー基板２の表面Ｓｆの側面挟持部３ａを設けた箇所には、ホルダー基板２の表裏方向に貫通する孔部６が形成されている。
【００３２】
端部囲繞部３ｂは、ホルダー基板２の長手方向で、リング式綴具３１の基部３２の一端部に対応するホルダー基板２の端部に設けられおり、基部３２の一端部の周囲を取り囲んで、これを保持する。より詳細には、図示の実施形態では、端部囲繞部３ｂは、図７（ｂ）及び図８（ｂ）に示すように、ホルダー基板２の表面Ｓｆの一方の側縁と他方の側縁との間に架け渡された橋梁状の形状を有し、その内面は、ホルダー基板２の表面Ｓｆから離れる向きに凸のアーチ状をなす。
【００３３】
そして、ホルダー基板２の表面Ｓｆ上で端部囲繞部３ｂを設けた箇所には、少なくともその表面Ｓｆから窪む凹状、ここではホルダー基板２の表裏方向の全体にわたって貫通する貫通孔状の擦抜け凹部７が設けられている。
【００３４】
このリング式綴具ホルダー１では、リング式綴具３１を保持させる際に、その基部３２を、ホルダー基板２の基部取付け箇所３ａ〜３ｄに取り付けるには、はじめに、図９（ａ）及び（ｂ）に示すように、基部３２の一端部が、端部囲繞部３ｂの内側を通過するように、基部３２の一端部を端部囲繞部３ｂ内に送り込む。
ここで、基部３２の一端部及び他端部のそれぞれの先端には、他の部分に比して径が大きくユーザが保持する摘みとして機能する拡径先端部３４が設けられており、この拡径先端部３４を端部囲繞部３ｂ内に潜らせて当該一端部を円滑に通過させるため、上述した擦抜け凹部７が有効に働くことになる。つまり、擦抜け凹部７は、端部囲繞部３ｂ内に基部３２の一端部を通す際の拡径先端部３４の一時的な逃げ場所となる。
ちなみに、基部３２の一端部が端部囲繞部３ｂ内を通過して、基部３２が基部取付け箇所３ａ〜３ｄに取り付けられた後、拡径先端部３４は端部囲繞部３ｂに引っ掛かり、後述するように、ユーザが基部３２の他端部を引っ張ることによる、リング式綴具３１の半リング部３２を開く動作を補助する。
【００３５】
他方、端部係合部３ｃは、ホルダー基板２の長手方向で、リング式綴具３１の基部３２の他端部に対応するホルダー基板２の端部に設けられおり、基部３２の他端部に基部の側面側から引っ掛かって係合する。
ここでは、端部係合部３ｃは、図７（ｃ）及び図８（ｃ）に示すように、ホルダー基板２の表面Ｓｆの一方の側縁上に実質的に直立する側壁８と、この側壁８からリング式綴具３１の基部３２側に向けて突き出る係合爪９で構成されている。そして、これに対応するリング式綴具３１の基部３２の他端部の側面Ｓには、図８（ｃ）に示すように、該側面Ｓから窪んで上記の係合爪９が入り込む係合凹部３５が形成されている。
【００３６】
この実施形態では、端部係合部３ｃの係合爪９は、図７（ｃ）に示すように、図の下側に位置して側壁８の内面に対してほぼ９０°をなす係合面１０と、係合面１０に連なって側壁８の内面と平行する内向き面１１と、図の上側に位置して内向き面１１と側壁８の内面とを斜めに連結する斜面１２とで構成されており、図示の断面で台形状をなす。基部３２を端部係合部３ｃに取り付ける際には、ユーザが基部３２の他端部に加えるホルダー基板２の表面Ｓｆ側への力の作用により、基部３２の他端部の側面Ｓが係合爪９の斜面１２上で滑り、係合面１０が他端部側面Ｓの係合凹部３５の内側に係合する。
【００３７】
片側壁部３ｄは、図７（ｄ）及び図８（ｄ）に示すように、ホルダー基板２の表面Ｓｆのいずれか一方の側縁上に直立させて設けることができ、これにより、リング式綴具３１の基部３２が基部３２のいずれか一方の側面Ｓ側から支持される。この片側壁部３ｄは、ホルダー基板２の長手方向に少なくとも一個設けることができ、仮に二個以上設ける場合は、それぞれをホルダー基板２の表面Ｓｆの一方および他方の側縁のそれぞれに設けることも可能であるが、この実施形態では、他方の側縁のみに、長手方向の中央を隔てて二個ずつの計四個設けている。
【００３８】
なお上述した基部取付け箇所３ａ〜３ｄは、図示の実施形態のように、ホルダー基板２の長手方向で、ホルダー基板２上の、リング式綴具３１の半リング部３３が配置される部分から若干ずらして、半リング部３３の間の部分や端部に設けることが、基部取付け箇所３ａ〜３ｄにより基部３２を強固に保持できる点で好適である。基部取付け箇所３ａ〜３ｄを、ホルダー基板２上の、半リング部３３が配置される部分に設けた場合は、基部３２の側面Ｓから延びる半リング部３３の存在により、基部取付け箇所３ａ〜３ｄの、基部３２との十分な接触面積が確保できない場合があることによる。
【００３９】
また、この実施形態では、図７（ｅ）及び図８（ｅ）に示すところから解かるように、ホルダー基板２の表面Ｓｆを、ホルダー基板２の一方の側縁よりも他方の側縁で、リング式綴具３１側に隆起させて、その他方の側縁に、長手方向の略全長に延びる隆起部２ａを形成している。この隆起部２ａによっても、リング式綴具３１の基部３２が支持される。
【００４０】
このようなリング式綴具ホルダー１に、リング式綴具３１を保持させるには、はじめに、図９（ａ）及び（ｂ）に示すように、リング式綴具３１の基部３２の一端部が端部囲繞部３ｂ内を通過するように、基部３２の一端部を、端部囲繞部３ｂの内側に潜らせる。このとき、先に述べたように、ホルダー基板２に対して傾斜する向きとなっている基部３２の一端部の拡径先端部３４が、ホルダー基板２の擦抜け凹部７内に一時的に入り込むことにより、基部３２の一端部が端部囲繞部３ｂ内を円滑に通過し、そしてその通過後は、拡径先端部３４が端部囲繞部３ｂに引っ掛かる。
【００４１】
次いで、基部３２がホルダー基板２と平行な向きになるように、基部３２の他端部を、ホルダー基板２の端部係合部３ｃ側に向けて接近させて、各側面挟持部３ａに、それらのそれぞれに対応する位置の基部３２の各部分を挟み込ませるとともに、基部３２の他端部を、端部係合部３ｃに引っ掛けて係合させる。これにより、片側壁部３ｄで、対応する位置の基部３２の各部分が支持されて、ホルダー基板２の基部取付け箇所３ａ〜３ｄへの基部３２の取付けが完了し、リング式綴具ホルダー１に、リング式綴具３１を保持させることができる。
【００４２】
リング式綴具ホルダー１からリング式綴具３１を外すには、上述したところとは逆に、はじめに、基部３２を僅かに側方に弾性変形させること等によって、基部３２の他端部と端部係合部３ｃとの係合状態を解除し、次いで、ホルダー基板２を傾斜させて、基部３２の他端部を端部係合部３ｃから離隔させるとともに、各側面挟持部３ａに挟み込まれた基部３２の各部分を外し、その後、基部３２の一端部の拡径先端部３４を擦抜け凹部７内に入り込ませつつ、基部３２の一端部を端部囲繞部３ｂ内から引き抜く。
【００４３】
図１０及び図１１に、他の実施形態のリング式綴具ホルダー１ａ、１ｂを示す。
これらのリング式綴具ホルダー１ａ、１ｂは、図１０及び図１１に示すように、ホルダー基板２ｂを幅方向に二個もしくは三個並べて配置し、それらが一体に形成されたものである。なおここで、ホルダー基板２ｂは、基部取付け箇所をすべて側面挟持部３ａとし、それらの側面挟持部３ａで、ホルダー基板２ｂの表面Ｓｆからの突出部分の突出高さを若干異なるものとしたことを除いて先に説明したホルダー基板２と実質的に同様の構成を有するものであるが、先述したホルダー基板２と同じ構成とすることも可能である。
【００４４】
そして、図１２、図１３に示すファイル６１では、図１０及び図１１に示すそれぞれのリング式綴具ホルダー１ａ、１ｂを、裏表紙６４に連なって閉じた状態で背表紙６５に対向する折返し部分６６の内側と、背表紙６５の内側とのそれぞれに取り付けている。このファイル６１では、図１３に示すように、五個のリング式綴具３１を着脱することができ、それらのそれぞれに綴じ込んだ紙葉を分けて収納することができる。
図示は省略するが、用途等に応じて、リング式綴具ホルダーのホルダー基板２ｂは四個以上とすることもできる。
【００４５】
なお図示の例では、リング式綴具３１は、基部３２の背面Ｂ側で該基部３２と平行に延びる軸部３６と、基部３２の背面Ｂ側に前記軸部３６を取り囲んで設けられて軸部３６を支持する軸受け部３７とをさらに有する。より詳細には、リング式綴具３１は、図１４（ａ）及び（ｂ）に示す綴具構成部材３８を二個組み合せるとともに、その軸受け部３７に金属製の軸部３６としてのシャフト部材を通して構成されている。なお、たとえば基部３２の背面Ｂの中央部には、図示しないコイルスプリングを設けることもできる。
このリング式綴具３１では、ユーザが先述の拡径先端部３４を把持して、それぞれの基部３２をその長手方向に沿って相互に逆向きに引っ張って変位させた後、基部３２を捩ることにより、軸受け部３７が一体形成された基部３２が、軸部３６を中心として回動変位し、それに伴い、基部３２に一体形成された半リング部３３が開く動作が生じる。
【００４６】
ここで、図示の実施形態のリング式綴具ホルダー１によれば、先に説明した基部取付け箇所３ａ〜３ｄにリング式綴具３１の基部３２を取り付けることにより、リング式綴具ホルダー１がリング式綴具３１を保持した状態で、リング式綴具３１を開くことができる。
特にこの実施形態では、基部取付け箇所３ａ〜３ｄに基部３２を取り付けた際に、先述したように、基部３２の一端部の拡径先端部３４が端部囲繞部３ｂに引っ掛かることから、ユーザは、基部３２の他端部の拡径先端部３４のみを把持してこれを引っ張ると、基部３２の回動変位及び、それに伴う半リング部３３の開放・閉鎖を行うことができる。
【００４７】
但し、上述したリング式綴具３１は、この発明のリング式綴具ホルダーに保持させることのできる一例として、説明のために挙げたものにすぎず、この発明のリング式綴具ホルダーは、特許請求の範囲で特定したような、先述した特許文献に記載されたものを含む種々のリング式綴具を保持するべく、形状ないし構造を適宜変更することが可能である。
【００４８】
たとえば、上述したリング式綴具に代えて、図示は省略するが、少なくとも一方の基部の背面に、その背面から間隔をおいて基部と平行に延びる一本以上の軸部としての両端固定シャフトを一体に設けるとともに、他方の基部の背面で、一方の基板の両端固定シャフトに隣接する位置に、両端固定シャフトの周囲を両端固定シャフトの周方向の一部を除いて取り囲む一個以上のシャフト把持部を一体に設け、それにより、シャフト把持部で把持させた両端固定シャフトの周りで、二枚の基板を回動変位可能としたリング式綴具とすることが好ましい。この場合、当該リング式綴具の形状に合わせて、それを保持するリング式綴具ホルダーの形状を変更することができる。
【符号の説明】
【００４９】
１、１ａ、１ｂ  リング式綴具ホルダー
２、２ｂ  ホルダー基板
２ａ  隆起部
３ａ  側面挟持部（基部取付け箇所）
３ｂ  端部囲繞部（基部取付け箇所）
３ｃ  端部係合部（基部取付け箇所）
３ｄ  片側壁部（基部取付け箇所）
４  貫通穴
５ａ、５ｂ  突出部分
６  孔部
７  擦抜け凹部
８  側壁
９  係合爪
１０  係合面
１１  内向き面
１２  斜面
３１  リング式綴具
３２  基部
３３  半リング部
３４  拡径先端部
３５  係合凹部
３６  軸部
３７  軸受け部
３８  綴具構成部材
５１、６１  ファイル
５２、６２  表紙体
５３、６３  表表紙
５４、６４  裏表紙
５５、６５  背表紙
６６  折返し部分
７１  マグネット部材
Ｓｆ  ホルダー基板の表面
Ｓｂ  ホルダー基板の裏面
Ｆ  基部の正面
Ｂ  基部の背面
Ｓ  基部の側面
【図１】
2018144431.tif 000003
【図２】
2018144431.tif 000004
【図３】
2018144431.tif 000005
【図４】
2018144431.tif 000006
【図５】
2018144431.tif 000007
【図６】
2018144431.tif 000008
【図７】
2018144431.tif 000009
【図８】
2018144431.tif 000010
【図９】
2018144431.tif 000011
【図１０】
2018144431.tif 000012
【図１１】
2018144431.tif 000013
【図１２】
2018144431.tif 000014
【図１３】
2018144431.tif 000015
【図１４】
2018144431.tif 000016